(57)【要約】【課題】冷凍装置において可燃性冷媒を用いる場合に、爆発破壊の危険性を避ける為に、各相に過電流遮断装置を挿入することによって引火を未然に防ぐこと。【解決手段】この発明に係る冷凍装置は、可燃性冷媒である炭化水素系冷媒を用いた冷凍サイクルと、ランプ、ヒータ等の発熱機器と、冷凍装置に電力を供給する交流電源の各相に設けられ、炭化水素系冷媒が漏洩した場合に発熱機器への引火を防止する過電流遮断装置と、を備えたことを特徴とする。【選択図】        図１
2004278851.tif 000002
【特許請求の範囲】
【請求項１】
可燃性冷媒である炭化水素系冷媒を用いた冷凍サイクルと、
ランプ、ヒータ等の発熱機器と、
冷凍装置に電力を供給する交流電源の各相に設けられ、前記炭化水素系冷媒が漏洩した場合に前記発熱機器への引火を防止する過電流遮断装置と、
を備えたことを特徴とする冷凍装置。
【請求項２】
前記過電流遮断装置にヒューズを用いたことを特徴とする請求項１に記載の冷凍装置。
【請求項３】
可燃性冷媒である炭化水素系冷媒を用い、蒸発器を有する冷凍サイクルと、
前記蒸発器の近傍に設けられた除霜用ヒータと、
冷蔵庫に電力を供給する交流電源の各相に設けられ、前記炭化水素系冷媒が漏洩した場合に前記除霜用ヒータへの引火を防止する過電流遮断装置と、
を備えたことを特徴とする冷蔵庫。
【発明の詳細な説明】
【０００１】
【発明の属する技術分野】
この発明は、オゾン層破壊や地球温暖化などの地球環境に悪影響を与えることの少ない可燃性冷媒を用いた冷凍冷蔵庫や空調機等の冷凍装置に関するものである。
【０００２】
【従来の技術】
冷凍冷蔵庫や空調機等の冷凍装置に使用される冷媒には、物性が安定し、扱い易いフロン系の冷媒が用いられている。フロン系の冷媒の中でもＣＦＣ系およびＨＣＦＣ系冷媒は、オゾン層を破壊するため、ＨＦＣ系フロン冷媒への移行が進んでおり、例えば家庭用冷凍冷蔵庫ではＨＦＣ系冷媒として、ＨＦＣ−１３４ａが広く用いられている。しかし、オゾン層を破壊しないＨＦＣ冷媒でも地球温暖化係数が炭化水素系冷媒と比べてかなり高いことから、地球温暖化に悪影響を与えると考えられており、ＨＦＣ冷媒に替えて地球温暖化防止の観点より可燃性冷媒である炭化水素系冷媒が使用される。可燃性冷媒を使用した冷凍装置の場合、冷凍サイクルから冷媒漏れが生じると着火して冷凍装置の爆発破壊となる可能性があるため、ヒータ等の発熱機器が可燃性冷媒に接触しないようにするなどの対応がなされている。
【０００３】
従来の冷凍装置においては、交流電源の一相にしかヒューズ等の過電流遮断装置はついておらず、交流電源ではコンセントの向きなどによりアースが変化し、ヒューズの無い相がアース側になるとは限らず、過電流遮断できない可能性がある。交流電源のアースの有無によっては大電流が流れるにも関わらず、ヒューズが溶断できない等の問題があった。
【０００４】
さらに前記大電流が流れている状態で、冷媒漏れが生じると着火して冷凍装置の爆発破壊となる可能性がある。地震などの状況では発生する確立が上がる。
【０００５】
【特許文献１】
特開２００２−２３３１４２号公報
【０００６】
【発明が解決しようとする課題】
従来の冷凍装置の圧縮機、ランプ、ヒータ等の発熱機器が地落した場合、交流電源ではコンセントの向きなどによりアースが変化し、交流電源の一相に過電流防止装置を実装しても、発熱機器が断線し地絡した場合、ヒューズの無い相がアース側になるとは限らず、過電流遮断できない可能性があり、電源から電流が流れ続け発熱する。可燃性冷媒を使用している場合、何らかの原因により冷媒漏れが生じると、引火し、さらには爆発破壊となる危険性があった。
【０００７】
この発明は、上記のような問題点を解決する為になされたもので、冷凍装置において可燃性冷媒を用いる場合に、爆発破壊の危険性を避ける為に、各相に過電流遮断装置を挿入することによって引火を未然に防ぐことを目的とする。
【０００８】
【課題を解決するための手段】
この発明に係る冷凍装置は、可燃性冷媒である炭化水素系冷媒を用いた冷凍サイクルと、ランプ、ヒータ等の発熱機器と、冷凍装置に電力を供給する交流電源の各相に設けられ、炭化水素系冷媒が漏洩した場合に発熱機器への引火を防止する過電流遮断装置と、を備えたことを特徴とする。
【０００９】
【発明の実施の形態】
実施の形態１．
以下、この発明の実施の形態の一例を図面に基づいて説明する。
図１〜３は実施の形態１を示す図で、図１は可燃性冷媒を用いた冷凍装置の交流電源の各相に過電流遮断装置を用いた回路図、図２は発熱機器が断線し地絡した場合を示す図、図３発熱機器が断線し図２とは別の相が地絡した場合を示す図である。
【００１０】
図において、冷凍冷蔵庫や空調機等の冷凍装置は交流電源１により電力が供給される。交流電源１は各相にヒューズ等の過電流遮断装置２、３を具備している。冷凍装置の冷凍サイクルには圧縮機４が使用される。冷凍装置にはランプ（例えば、冷凍冷蔵庫の庫内灯）、ヒータ（例えば、冷凍冷蔵庫の除霜用ヒータ）等の発熱機器５が用いられる。冷凍サイクルには、蒸発器又は凝縮器となる熱交換器６、７、減圧装置であるキャピラリチューブ８が使用される。
【００１１】
従来の冷凍装置では、圧縮機４、ランプ、ヒータ等の発熱機器５が地落した場合、交流電源１ではコンセントの向きなどによりアースが変化し、交流電源の一相に過電流遮断装置を実装しても、過電流遮断できない可能性があり、交流電源１から電流が流れ続け発熱する。可燃性冷媒である炭化水素系冷媒を使用している場合、何らかの原因により冷媒漏れが生じると、引火し、さらには爆発破壊となる危険性があった。
【００１２】
本発明では、図１の発熱機器５が図２、図３のように地落した場合でも、各相に設置した過電流遮断装置２、３により交流電源１から電流が流れ続けるのを回避できる。
【００１３】
一般に冷凍装置の中でも家庭用冷蔵庫では、熱交換器として蒸発器を備え、この蒸発器において熱交換された冷気がファンによって庫内へ送り出されるようになっているため、蒸発器には霜が着霜する。従って、蒸発器の近傍に除霜用ヒータを配置し、輻射熱やヒータ熱の自然対流によって蒸発器に着霜した霜を除霜する。このヒータとしてはガラス管ヒータなどが使用される。従って、蒸発器から可燃性冷媒が漏れた場合、引火する可能性が高いが、過電流遮断装置２、３により交流電源１から電流が流れ続けるのを回避し、引火さらには爆発破壊となることを防止できる。
【００１４】
図１に示した冷凍装置では、交流電源１として単相のものを示したが、三相のものにも適用されることは言うまでもない。
【００１５】
【発明の効果】
この発明に係る冷凍装置は、可燃性冷媒である炭化水素系冷媒を用いた冷凍サイクルと、ランプ、ヒータ等の発熱機器と、冷凍装置に電力を供給する交流電源の各相に設けられ、炭化水素系冷媒が漏洩した場合に発熱機器への引火を防止する過電流遮断装置と、を備えたことにより、発熱機器の地落等による炭化水素系冷媒への引火が防止できる。
【図面の簡単な説明】
【図１】実施の形態１を示す図で、可燃性冷媒を用いた冷凍装置の交流電源の各相に過電流遮断装置を用いた回路図である。
【図２】実施の形態１を示す図で、発熱機器が断線し地絡した場合を示す図である。
【図３】実施の形態１を示す図で、発熱機器が断線し図２とは別の相が地絡した場合を示す図である。
【符号の説明】
１  交流電源、２，３  過電流遮断装置、４  圧縮機、５  発熱機器、６，７
熱交換器、８  キャピラリチューブ。
【図１】
2004278851.tif 000003
【図２】
2004278851.tif 000004
【図３】
2004278851.tif 000005